(57)【特許請求の範囲】
【請求項１】
予備重合に用いられる作業台であって、
円筒型の本体内部に収容される乾電池または充電式電池からなる内部電源と、前記内部電源により発光するピーク強度が４６０ｎｍまたは４０５ｎｍの波長の複数個のＬＥＤを円板の上に放射状に配列した光源部と、前記光源部の周囲を取り囲むように設けられ、前記複数個のＬＥＤから発光される光をストレートな円筒内面に反射させ、照射方向に集束させて直接に照射する円筒型のリングからなる集光部と、を備えたＬＥＤ光照射器と、
前記ＬＥＤ光照射器を着脱可能に装着する天板と、
前記天板を支える支柱と、
前記支柱の下部に固定された底板と、
を備えたことを特徴とする予備重合用作業台。
【請求項２】
請求項１に記載の予備重合用作業台において、前記天板または前記底板に目盛が設けられていることを特徴とする予備重合用作業台。
【発明の詳細な説明】
【技術分野】
【０００１】
本発明は、予備重合に用いられる予備重合用作業台に関する。
【背景技術】
【０００２】
現在、歯科技工所では硬質レジンを築造する場合、技工士が自分の技工デスクから重合器の置いてある硬質レジン専用室に移動して行うのが通常である。そこで、技工士が自分の技工デスクで予備重合を行えれば便利であるが、そのような小型で携帯可能なＬＥＤ予備重合器は市販されていない。なお、下記の特許文献１には、従来の一般的な重合器に関する発明が開示されている。
【先行技術文献】
【特許文献】
【０００３】
【特許文献１】特開２００２−１８６６３２号公報
【発明の概要】
【発明が解決しようとする課題】
【０００４】
本発明は前記のような問題を解決するためになされたものであり、その目的とするところは、小型かつ軽量で持ち運びに便利であり、技工士が技工デスクで予備重合を行うのに好適な予備重合用作業台を提供することにある。
【課題を解決するための手段】
【０００５】
前記の目的を達成するため、本発明は、予備重合に用いられる作業台であって、円筒型の本体内部に収容される乾電池または充電式電池からなる内部電源と、前記内部電源により発光するピーク強度が４６０ｎｍまたは４０５ｎｍの波長の複数個のＬＥＤを円板の上に放射状に配列した光源部と、前記光源部の周囲を取り囲むように設けられ、前記複数個のＬＥＤから発光される光をストレートな円筒内面に反射させ、照射方向に集束させて直接に照射する円筒型のリングからなる集光部と、を備えたＬＥＤ光照射器と、前記ＬＥＤ光照射器を着脱可能に装着する天板と、前記天板を支える支柱と、前記支柱の下部に固定された底板と、を備えたことを特徴とする予備重合用作業台を提供するものである。ここで、この作業台には、前記天板または前記底板に目盛が設けられていると良い。
【発明の効果】
【００１０】
本発明によると、コンパクトで持ち運びに便利であり、電源スイッチを入れれば、集光部に反射して集束されたＬＥＤの光が集中的に照射される。このため、予備重合用ライトとして利用する場合には、義歯床の修理の際の仮着のレジンや石膏などの模型に築造した硬質レジンに向けて集中的にＬＥＤ光が照射され、硬質レジンを短時間で効率良く硬化（予備重合）させることができる。また、充填物確認用ライトとして利用する場合には、屋外や屋内を問わず、口腔内にＬＥＤ光が部分的に照射され、充填物と天然歯の区別を簡易に確認することができる。
【図面の簡単な説明】
【００１１】
【図１】懐中電灯型のＬＥＤ光照射器を示す斜視図である。
【図２】図１のＬＥＤ光照射器の変形例を示す平面図である。
【図３】図１のＬＥＤ光照射器の原理を示す説明図である。
【図４】ストロボ型のＬＥＤ光照射器を示す斜視図である。
【図５】スタンド型のＬＥＤ光照射器を示す斜視図である。
【図６】懐中電灯型のＬＥＤ光照射器を搭載する予備重合用の作業台を示す分解斜視図である。
【発明を実施するための形態】
【００１２】
以下、本発明の実施形態について、図面を参照しながら説明する。
【００１３】
（懐中電灯型ＬＥＤ光照射器）
図１は懐中電灯型のＬＥＤ光照射器１０を示したものである。このＬＥＤ光照射器１０は、円筒型の本体１１を有し、本体１１の内部に収容された乾電池または充電式電池（図示略）を内部電源とする携帯可能な照射器である。
【００１４】
本体１１の正面には、内部電源の乾電池または充電式電池から供給される電力により発光するＬＥＤ１４を複数個配列した光源部１２が設けられている。ＬＥＤ１４の波長については、予備重合用であれば硬質レジンに適合するようにピーク強度が４６０ｎｍまたは４０５ｎｍの波長のものを、充填物確認用であれば３６０ｎｍより低い波長のものを選択すれば良く、光の色は白色または青色のものを使用することができる。ＬＥＤ１４の配列は、円形の基板１６の上にＬＥＤ１４を放射状に並べて配置するのが好ましく、本実施形態では３個のＬＥＤ１４，１４，…を９０°ずつ等間隔で配置してある。なお、ＬＥＤ１４の個数は特に限定されず、例えば、図２（ａ）のようにＬＥＤ１４を４個、図２（ｂ）（ｃ）のようにＬＥＤ１４を５個、図２（ｄ）のようにＬＥＤ１４を１０個等間隔で配置しても良い。
【００１５】
また、本体１１の正面には、光源部１２から照射される光の拡散を防止して集光する集光部１３が設けられている。本実施形態の集光部１３は、ＬＥＤ１４の周囲を取り囲むように設けられた円筒型のリング１５からなり、外部からの光を遮断し、図３に示すように複数個のＬＥＤ１４，１４，…から照射される光をリング１５の内面に反射させ、その反射光を前方の照射方向に集束させるように構成されている。リング１５の材質はＬＥＤ１４の光を反射するものであれば特に限定されず、例えばアルミニウム等の金属を使用することができる。また、プラスチック製のリング１５の内面にメッキあるいはアルミテープを貼付したり、金属製のリング１５の内面に鏡面加工を施したりしても良い。
【００１６】
このように構成された懐中電灯型のＬＥＤ光照射器１０によると、コンパクトなサイズであるため持ち運びに便利であり、本体背面に設けられた電源ボタン１７を押すだけで光源部１２のＬＥＤ１４が点灯し、集光部１３のリング１５に反射して集束されたＬＥＤ光が本体正面から前方に向かって集中的に照射される。このため、予備重合用ライトとして利用する場合には、義歯床の修理の際の仮着のレジンや石膏などの模型に築造した硬質レジンに向けて集中的にＬＥＤ光を照射することにより、硬質レジンを短時間で効率良く硬化（予備重合）させることができる。また、充填物確認用ライトとして利用する場合には、屋外や屋内を問わず、口腔内にＬＥＤ光を部分的に照射することにより、充填物と天然歯の区別を簡易に確認することができる。
【００１７】
（ストロボ型ＬＥＤ光照射器）
図４はストロボ型のＬＥＤ光照射器２０を示したものである。このＬＥＤ光照射器２０は、正面が開口した箱型の本体２１を有し、本体２１の内部に乾電池または充電式電池（図示略）を収容した電源部が設けられている。また、本体２１の正面には、複数個のＬＥＤ２４，２４，…を配列した光源部２２と、光源部２２の光の拡散を防止する集光部２３が設けられている。
【００１８】
光源部２２を構成するＬＥＤ２４の波長については、前記懐中電灯型のＬＥＤ光照射器１０と同様である。また、ＬＥＤ２４の配列は、方形の基板２６の上にＬＥＤ２４を格子状に並べて配置するのが好ましい。本実施形態では、図示したように６列×６行＝３６個のＬＥＤ２４，２４，…を等間隔で正方形状に配置したが、これに限らず、例えば８列×６行＝４８個のＬＥＤ２４，２４，…を等間隔で長方形状に配置しても良い。
【００１９】
集光部２３について、本実施形態では、複数個のＬＥＤ２４，２４，…の周囲を取り囲むように角筒型のアルミニウム板からなるフード２５が設けられている。このフード２５の高さは、例えば１０ｍｍ、１５ｍｍ、２０ｍｍ等、適宜サイズに設定すれば良い。なお、一般的なデジタルカメラやビデオカメラ用のストロボに装着されている透明プラスチック板とライトカバーは、集光の妨げになるため、本実施形態では取り外してある。
【００２０】
このように構成されたストロボ型のＬＥＤ光照射器２０によると、前記懐中電灯型のＬＥＤ光照射器１０と同様な作用効果が得られる。また、本実施形態では特に、光源部２２の照射面積が広いので、広範囲にわたって集中的にＬＥＤ光を照射することができるというメリットがある。
【００２１】
（スタンド型ＬＥＤ光照射器）
図５はスタンド型のＬＥＤ光照射器３０を示したものである。このＬＥＤ光照射器３０は、乾電池または充電式電池（図示略）を収容するクリップ式の台座３１を有し、この台座３１にフレキシブルなアーム３７が連結され、アーム３７の先端に複数個のＬＥＤ３４，３４，…を配列した光源部３２と、光源部３２の光の拡散を防止する集光部３３が設けられている。また、台座３１にケーブルを接続し、ケーブル先端のＵＳＢコネクタをパソコンのＵＳＢポートに接続することにより、外部電源を利用することもできる。
【００２２】
光源部３２を構成するＬＥＤ３４の波長については、前記懐中電灯型のＬＥＤ光照射器１０と同様である。また、ＬＥＤ３４の配列は、方形の基板３６の上にＬＥＤ３４を格子状に並べて配置するのが好ましく、例えば図示したように４列×７行＝２８個のＬＥＤ３４，３４，…を等間隔で配置すれば良い。
【００２３】
集光部３３について、本実施形態では、複数個のＬＥＤ３４，３４，…の周囲を取り囲むように角筒型のアルミニウム板からなるフード３５が設けられている。このフード３５の高さは、例えば１０ｍｍ、１５ｍｍ、２０ｍｍ等、適宜サイズに設定すれば良い。なお、一般的な電気スタンドに装着されているカバーは、照度を低下させる原因になるため、取り外した方が好ましい。
【００２４】
このように構成されたスタンド型のＬＥＤ光照射器３０によると、前記懐中電灯型のＬＥＤ光照射器１０と同様な作用効果が得られる。また、本実施形態では特に、クリップ式の台座３１を技工デスクに挟んで装着し、アーム３７を自由自在に曲げることにより、ＬＥＤ光の照射角度を調節することができるというメリットがある。
【００２５】
なお、図４のストロボ型のＬＥＤ光照射器２０と図５のスタンド型のＬＥＤ光照射器３０については、乾電池や充電式電池に替えて、商用電源からのＡＣ電圧をスイッチング電源やＥＶＤ（等電圧分配：Equal Voltage Distributor）方式の電源回路（特許第4657382号）で変換することにより、携帯型レジン重合用照射器として利用することができる。
【００２６】
（予備重合用作業台）
図６は予備重合用の作業台４０を示したものである。この作業台４０は、天板４１と、天板４１を支える支柱４２，４２，…と、支柱４２の下部に固定された底板４３を備えて構成されている。天板４１の中心には円形の嵌合孔４４が設けられていて、この嵌合孔４４に、図１に示した懐中電灯型のＬＥＤ光照射器１０を挿入し、本体１１の段部を係止すればＬＥＤ光照射器１０を着脱可能に搭載することができる。
【００２７】
支柱４２の本数は特に限定されないが、例えば４本にすると作業者が手を入れるスペースが狭く作業しにくくなるため、図のように支柱４２を３本にして正面を開放することにより、手を入れるスペースを確保するのが好ましい。また、本実施形態では、天板４１の上面と底板４３の上面にそれぞれ１ｃｍ幅の方眼目盛４５が刻印により設けられているため、技工士が技工デスク上で予備重合する際に補綴物４６のサイズを測定することができて便利である。
【００２８】
なお、天板４１を支える支柱４２は、図のようなパイプ状のものに限らず、プレート状のもので側面を覆う形態にすることもできる。また、ＬＥＤ光が直接目に入るのを防ぐため、作業台４０の側面にＬＥＤのブルーライトをカットするプラスチック製保護板や保護フィルム等が設けられていても良い。
【００２９】
また、図６の例では懐中電灯型のＬＥＤ光照射器１０を装着して予備重合用の作業台４０を製造したが、これに替えて、前記ストロボ型のＬＥＤ光照射器２０を装着して本重合用の光照射器（図示略）を製造することも可能である。この場合、作業台に入る大きさの方形状の穴を開け、そこにストロボ型のＬＥＤ光照射器２０を挿入し、一方向、二方向、あるいは四方向を蝶番付きのプラスチック板で囲えば、本重合用の携帯型ＬＥＤ光照射器（特願2012-288930）と同様に利用することができる。
【００３０】
以上が本発明の実施形態であるが、次に、本発明の効果を試験により検証したので以下に説明する。
【００３１】
１．照度測定
ＬＥＤ光照射器の性能試験として、光照射を行い、照度計ＬＸ２（三和電気計器株式会社）を使用してその照度を測定した。
【００３２】
２．硬化深さの測定
金型（φ６×１２ｍｍ×３穴）に硬質レジンを充填し、ポリエステルフィルム（３Ｍ−ＥＳＰＥ）及びスライドグラスで上下面を圧接後、スライドグラスを除去してＬＥＤ光照射器で光照射を行った。光照射時間は３０秒とし、光照射終了直後に金型から硬質レジンを取り外し、未重合部分をアルコールワッテで除去した。硬質レジンは、光重合型ＭＦＲハイブリッド超硬質レジンGradia DA3（GC CORPORATION、Lot No.1201301）を使用し、硬化深さの測定には、ダイヤルシックネスゲージ（精度１／１００ｍｍ、ピーコック〈株式会社尾崎製作所〉）を使用した。
【００３３】
（１）試験１（懐中電灯型のワット数による影響）
図１に示す懐中電灯型のＬＥＤ光照射器について、ＬＥＤのワット数の違いによる照度を測定した。使用したＬＥＤは、実施例１が青色３Ｗ１灯、実施例２が青色１Ｗ３灯である。その測定結果を表１に示す。
【００３４】
0005382752.tif 000002
【００３５】
表１に示すように、懐中電灯型のＬＥＤ光照射器について、光源部から集光部を介して照射されるＬＥＤ光は、ワット数の影響をそれほど受けず、いずれも１００klx以上の照度が得られることが判明した。
【００３６】
また、懐中電灯型のＬＥＤ光照射器について、ＬＥＤのワット数の違いによる硬化深さを測定した。その測定結果を表２に示す。
【００３７】
0005382752.tif 000003
【００３８】
表２に示すように、硬化深さについても、ワット数の影響をそれほど受けず、照射時間が少なくとも３０秒以上あれば、予備重合として十分な硬化深さが得られることが判明した。
【００３９】
（２）試験２（懐中電灯型の灯数による影響）
懐中電灯型のＬＥＤ光照射器（１Ｗ青ＬＥＤ、１．５Ｖボタン電池３個）について、ＬＥＤの灯数と配列を変えて、照度を測定した。実施例３は３個の青色ＬＥＤを放射状に配置したもの（図１を参照）、実施例４は４個の青色ＬＥＤを放射状に配置したもの（図２（ａ）を参照）、実施例５は５個の青色ＬＥＤを放射状に配置したもの（図２（ｂ）を参照）、実施例６は５個の青色ＬＥＤを中央及び放射状に配置したもの（図２（ｃ）を参照）である。その測定結果を表３に示す。
【００４０】
0005382752.tif 000004
【００４１】
表３に示すように、懐中電灯型のＬＥＤ光照射器について、光源部から集光部を介して照射されるＬＥＤ光は、少なくとも１００klx以上の照度が得られることが明らかになった。特に、実施例５と実施例６を比較すると、同じ灯数のＬＥＤであれば中央に配置するよりも周縁に放射状に配置する方が好ましいことが判明した。
【００４２】
また、懐中電灯型のＬＥＤ光照射器について、ＬＥＤの灯数と配列を変えて、硬化深さを測定した。その測定結果を表４に示す。
【００４３】
0005382752.tif 000005
【００４４】
表４に示すように、懐中電灯型のＬＥＤ光照射器については、ＬＥＤの灯数にかかわらず、照射時間が少なくとも３０秒以上あれば、予備重合として十分な硬化深さが得られることが判明した。
【００４５】
（３）試験３（ストロボ型の透明プラスチック板の有無による影響）
図４に示すストロボ型のＬＥＤ光照射器（１Ｗ青ＬＥＤ、単四乾電池３個）について、透明プラスチック板の有無によるＬＥＤ光の照度を測定した。実施例７は透明プラスチック板を装着したままのもの、実施例８は透明プラスチック板を取り外したものであり、いずれもＬＥＤ３６灯、ライトカバーとアルミフード（高さ２０ｍｍ）を使用した。その測定結果を表５に示す。
【００４６】
0005382752.tif 000006
【００４７】
表５に示すように、ストロボ型のＬＥＤ光照射器については、ストロボ正面の透明プラスチック板を取り外した方が、照度が高くなることが判明した。
【００４８】
（４）試験４（ストロボ型の照射距離による影響）
ストロボ型のＬＥＤ光照射器について、ライトカバーの有無と照射距離によるＬＥＤ光の照度を測定した。実施例８はライトカバーを装着したままのもの、実施例９はライトカバーを取り外したものであり、いずれもＬＥＤ３６灯、アルミフード（高さ２０ｍｍ）を使用した。その測定結果を表６に示す。
【００４９】
0005382752.tif 000007
【００５０】
表６に示すように、ストロボ型のＬＥＤ光照射器については、ＬＥＤの周囲を覆うライトカバーを取り外した方が、照度が高くなることが判明した。また、ライトカバーを取り外した場合、照射距離は１５ｍｍが最適であった。
【００５１】
また、ストロボ型のＬＥＤ光照射器について、照射距離による硬化深さを測定した。実施例１０は照射距離を１０ｍｍとしたもの、実施例１１は照射距離を１５ｍｍとしたもの、実施例１２は照射距離を２０ｍｍとしたものであり、いずれもＬＥＤ３６灯、アルミフード（高さ２０ｍｍ）を使用し、透明プラスチック板とライトカバーは取り外した。照射時間はいずれも３０秒である。その測定結果を表７に示す。
【００５２】
0005382752.tif 000008
【００５３】
表７に示すように、ストロボ型のＬＥＤ光照射器については、照射時間が少なくとも３０秒以上あれば、照射距離にかかわらず、予備重合として十分な硬化深さが得られることが判明した。
【００５４】
（５）試験５（スタンド型のカバー、アルミフードの有無と照射距離による影響）
図５に示すスタンド型のＬＥＤ光照射器（１Ｗ青ＬＥＤ、単三乾電池４個）について、カバーの有無、アルミフードの有無、及び照射距離の違いによるＬＥＤ光の照度を測定した。実施例１３〜１５はカバーを装着したままでアルミフードを使用しないもの、実施例１６〜１８はカバーを取り外してアルミフードを使用しないもの、実施例１９〜２１はカバーを取り外してアルミフードを使用したものである。その測定結果を表８に示す。
【００５５】
0005382752.tif 000009
【００５６】
表８に示すように、スタンド型のＬＥＤ光照射器については、カバーを取り外した方が、照度が高くなることが判明した。また、カバーを取り外した場合には、照射距離が０ｍｍのもの（実施例１９）を除き、アルミフードを使用した方が、照度が高くなることが判明した。すなわち、歯科技工所で使用する場合、義歯床や石膏模型に築造した硬質レジンに光源部を直接接触させることはないため、光源部から１０〜２０ｍｍ離した状態で使用することにより予備重合することが可能になる。
【００５７】
また、スタンド型のＬＥＤ光照射器から硬質レジンにＬＥＤ光を照射してその硬化深さを測定した。実施例２２は照射距離１０ｍｍで３０秒間照射したもの、実施例２３は照射距離１０ｍｍで６０秒間照射したもの、実施例２４は照射距離１５ｍｍで３０秒間照射したもの、実施例２５は照射距離２０ｍｍで３０秒間照射したものである。その測定結果を表９に示す。
【００５８】
0005382752.tif 000010
【００５９】
表９に示すように、スタンド型のＬＥＤ光照射器については、光源部から１０〜２０ｍｍ離した状態で使用することにより、照射時間が少なくとも３０秒以上あれば、予備重合として十分な硬化深さが得られることが判明した。
【符号の説明】
【００６０】
１０…懐中電灯型のＬＥＤ光照射器
１１…本体
１２…光源部
１３…集光部
１４…ＬＥＤ
１５…リング
１６…基板
１７…電源ボタン
２０…ストロボ型のＬＥＤ光照射器
２１…本体
２２…光源部
２３…集光部
２４…ＬＥＤ
２５…フード
２６…基板
３０…スタンド型のＬＥＤ光照射器
３１…台座
３２…光源部
３３…集光部
３４…ＬＥＤ
３５…フード
３６…基板
３７…アーム
４０…作業台
４１…天板
４２…支柱
４３…底板
４４…嵌合孔
４５…方眼目盛
４６…補綴物
【要約】
【課題】小型かつ軽量で持ち運びに便利であり、技工士が技工デスクで予備重合を行うのに好適なＬＥＤ光照射器を提供する。
【解決手段】本発明による懐中電灯型のＬＥＤ光照射器１０は、円筒型の本体１１の内部に収容される乾電池または充電式電池からなる内部電源と、複数個のＬＥＤ１４，１４，…を円形の基板１６の上に放射状に配列した光源部１２と、光源部１２の周囲を取り囲むように設けられた円筒型のリング１５からなる集光部１３と、を備えて構成されており、光源部１２のＬＥＤ１４を点灯させると、集光部１３のリング１５に反射して集束されたＬＥＤ光が本体正面から前方に向かって集中的に照射される。
【選択図】図１【図１】
0005382752.tif 000011
【図２】
0005382752.tif 000012
【図３】
0005382752.tif 000013
【図４】
0005382752.tif 000014
【図５】
0005382752.tif 000015
【図６】
0005382752.tif 000016